(57)【要約】【課題】ＡＬＣが有効であるか無効であるか選択可能にし、ＡＬＣを無効とした時でも記録音量をモニタリングできる記録装置を提供する。【解決手段】記録装置は、外部の音声を取得し、第１信号に変換する変換部と、前記第１信号を増幅し、第２信号を生成する増幅部と、第２信号のレベルを表示する表示部と、増幅部及び表示部を制御する制御部と、を備える。増幅部は、第２信号のレベルに応じて第１信号を増幅する増幅度を調整するＡＬＣ部を有する。制御部は、ＡＬＣ部のオン又はオフを選択可能とし、ＡＬＣ部がオンのとき、表示部における第２信号のレベル表示のオン又はオフを選択可能にする一方、ＡＬＣ部がオフのとき、表示部における第２信号のレベル表示を常時オンにする。【選択図】図６
2015130547.tif 000002
【特許請求の範囲】
【請求項１】
外部の音声を取得し、前記音声を第１信号に変換する変換部と、
前記第１信号を増幅して第２信号を生成する増幅部と、
前記第２信号を記録する記録部と、
前記第２信号のレベルを表示する表示部と、
前記増幅部および表示部を制御する制御部と、を備え、
前記増幅部は、
前記第２信号のレベルに応じて前記増幅部の増幅度を調整するＡＬＣ部を有し、
前記制御部は、
前記ＡＬＣ部が動作するか否かを選択可能とし、 
前記ＡＬＣ部が動作するとき、前記表示部における前記第２信号のレベルの表示又は非表示 を選択可能にする一方、
前記ＡＬＣ部が動作しないとき、前記表示部における前記第２信号のレベルを常時表示させる、
記録装置。
【請求項２】
前記増幅部の増幅度を使用者が設定できる操作部を更に備え、
前記制御部は、前記操作部により使用者が設定した増幅度を用いて前記増幅部を制御する、
請求項１に記載の記録装置。
【請求項３】
前記ＡＬＣ部は、
前記第２信号のレベルが所定レベルより小さいときは、所定レベルを上回るように前期増幅部の増幅度を上げ、
前記第２信号のレベルが所定レベルより大きいときは、所定レベルを下回るように前期増幅部の増幅度を下げる、
請求項１に記載の記録装置。
【請求項４】
前記ＡＬＣ部は、
前記第２信号のレベルが所定レベルより大きいときは、所定レベルを下回るように前期増幅部の増幅度を下げ、
前記第２信号のレベルが所定レベルより小さくなったら、前期増幅部の増幅度を予め定められた所定の値に保つ、
請求項１に記載の記録装置。
【請求項５】
前記増幅部は、前記第２信号に処理を施す処理部を含む、
請求項１から４のいずれかに記載の記録装置。
【発明の詳細な説明】
【技術分野】
【０００１】
本開示は、オートレベルコントロール機能を有する記録装置に関する。
【背景技術】
【０００２】
従来、自動音量調整回路（Ａｕｔｏｍａｔｉｃ  Ｌｅｖｅｌ  Ｃｏｎｔｒｏｌｌｅｒ（以下、ＡＬＣと称する））が備わった記録装置が知られている。記録装置としては、カムコーダや動画撮影可能なデジタルカメラなどが挙げられる。例えば、特許文献１には、ＡＬＣによる音声信号に対するレベル調整手段の稼働状況を表示する記録装置が開示されている。
【先行技術文献】
【特許文献】
【０００３】
【特許文献１】特開２０１０−１５７９６６号公報
【発明の概要】
【発明が解決しようとする課題】
【０００４】
本開示における記録装置は、ＡＬＣのオン又はオフを選択可能にし、ＡＬＣがオフのときであっても音が割れるかどうかをモニタリングできる。
【課題を解決するための手段】
【０００５】
本開示における記録装置は、外部の音声を取得し、前記音声を第１信号に変換する変換部と、前記第１信号を増幅して第２信号を生成する増幅部と、前記第２信号を記録する記録部と、前記第２信号のレベルを表示する表示部と、前記増幅部および表示部を制御する制御部と、を備え、前記増幅部は、前記第２信号のレベルに応じて前記増幅部の増幅度を調整するＡＬＣ部を有し、前記制御部は、前記ＡＬＣ部が動作するか否かを選択可能とし、 前記ＡＬＣ部が動作するとき、前記表示部における前記第２信号のレベルの表示又は非表示 を選択可能にする一方、前記ＡＬＣ部が動作しないとき、前記表示部における前記第２信号のレベルを常時表示させる。
【発明の効果】
【０００６】
上記構成により、本開示における記録装置では、ＡＬＣのオン又はオフを選択可能にし、ＡＬＣがオフのときには録音レベルが自動的に表示される。従って、本開示における記録装置は、ＡＬＣをオフにした際でも音が割れるかどうかをモニタリングできる。
【図面の簡単な説明】
【０００７】
【図１】実施の形態１に係るデジタルカメラの正面斜視図
【図２】実施の形態１に係るデジタルカメラの背面図
【図３】実施の形態１に係るデジタルカメラの電気的構成を示すブロック図
【図４】実施の形態１に係るデジタルカメラのアナログ音声処理部の構成を示すブロック図
【図５】実施の形態１に係るデジタルカメラのＡＬＣ及びマイクレベル表示の設定テーブルを示す図
【図６】実施の形態１に係るデジタルカメラのマイクレベル表示の設定を示すフローチャート
【図７】実施の形態１に係るデジタルカメラの表示部及び操作部を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって請求の範囲に記載の主題を限定することを意図するものではない。
【００１０】
〔実施の形態１〕
以下の実施の形態では、デジタルカメラ１００を例に挙げて説明する。デジタルカメラ１００は、記録装置の一例である。
【００１１】
実施の形態１のデジタルカメラ１００は、マイクロホン部１１１を備え、動画撮影時にマイクロホン部１１１で収音し、画像記録と共に音声記録を行う。以下、デジタルカメラ１００の構成および動作を説明する。
【００１２】
〔１．構成〕
以下、図を用いてデジタルカメラ１００の構成を説明する。
【００１３】
〔１−１．デジタルカメラ１００の構成〕
図１は、デジタルカメラ１００の正面斜視図である。デジタルカメラ１００は、デジタルカメラボディ１０２と交換レンズ３０１とを備える。デジタルカメラボディ１０２は、操作部１８０を備える。操作部１８０は、レリーズ釦１８１、電源スイッチ１８３及びモードダイヤル１８４を含む。
【００１４】
また、デジタルカメラボディ１０２は、マイクロホン部１１１を備える。マイクロホン部１１１は、マイクロホン１１１Ｌおよびマイクロホン１１１Ｒの２つのマイクロホンを含む。
【００１５】
図２は、デジタルカメラボディ１０２の背面構成図である。デジタルカメラボディ１０２は、背面に操作部１８０を備える。操作部１８０は、中央釦１８５および十字釦１８６を含む。デジタルカメラ１００は、背面に表示部１９０およびビューファインダー１９１を備える。
【００１６】
図３を用いてデジタルカメラ１００の電気的構成について説明する。
【００１７】
デジタルカメラ１００は、外部から得られた情報から画像情報および音声信号を生成する。画像情報は、画像入力系１４０によって生成される。音声信号は、音声入力系１１０によって生成される。生成された画像情報および音声信号は、Ａ／Ｄ変換され、デジタル画像・音声処理部１２０で各処理が施された後、メモリカード等の外部記憶媒体１６０に記録される。外部記憶媒体１６０に記録された画像情報は、使用者による操作部１８０の操作を受け付けて、表示部１９０に表示される。または、外部記憶媒体１６０に記録された画像情報は、ビューファインダー１９１に表示される。外部記憶媒体１６０に記録された音声信号は、使用者による操作部１８０の操作を受け付けて、スピーカー１９５から出力される。
【００１８】
以下、図１から図３に示す各部の詳細を説明する。
【００１９】
〔１−１−１．画像入力系１４０の構成〕
画像入力系１４０は、交換レンズ３０１、ＣＣＤイメージセンサ１４３およびＡＦＥ（アナログ・フロント・エンド）１４４を備える。交換レンズ３０１は、フォーカスレンズ３１０、ズームレンズ３１２、絞り３１６等の光学系を備える。交換レンズ３０１は、光学系を駆動制御するための駆動部を備える。駆動部としては、フォーカスレンズ駆動部３１１、ズームレンズ駆動部３１３、絞り駆動部３１７が挙げられる。交換レンズ３０１は、駆動部を制御するレンズコントローラ３２０を備える。レンズコントローラ３２０は、ＤＲＡＭ３２１やフラッシュメモリ３２２に接続されている。これにより、レンズコントローラ３２０は必要に応じて情報の読み出しや書き込みができる。
【００２０】
交換レンズ３０１を通して形成された被写体像はＣＣＤイメージセンサ１４３で画像情報となる。ＣＣＤイメージセンサから得られた画像情報はＡＦＥ１４４でアナログ・デジタル変換等をされる。交換レンズ３０１は、レンズマウント３３０、ボディマウント３４０を介して、デジタルカメラボディ１０２と電気的、機械的に接続されている。
【００２１】
〔１−１−２．デジタルカメラボディ１０２の構成〕
デジタルカメラボディ１０２は、画像入力系１４０、音声入力系１１０、デジタル画像・音声処理部１２０、コントローラ１３０、ＲＡＭ１５０、外部記憶媒体１６０、ＲＯＭ１７０、操作部１８０、表示部１９０、ビューファインダー１９１およびスピーカー１９５を備える。画像入力系１４０については既に説明した通りである。
【００２２】
音声入力系１１０は、マイクロホン部１１１およびアナログ音声処理部１１５を備える。マイクロホン部１１１は、マイクロホン１１１Ｌ、１１１Ｒを含む。アナログ音声処理部１１５は、マイクロホンアンプとＡ／Ｄコンバータを含む。マイクロホン部１１１は、音響信号を各マイクロホンにより電気信号に変換して、アナログ音声処理部１１５に入力する。アナログ音声処理部１１５は、マイクロホン部１１１から受け付けたアナログ音声信号を、マイクロホンアンプに入力する。マイクロホンアンプは、アナログ音声信号を所定の増幅度で増幅する。マイクロホンアンプは、増幅した音声信号をＡ／Ｄコンバータに入力する。Ａ／Ｄコンバータは、入力された音声信号をＡ／Ｄ変換し、デジタル画像・音声処理部１２０に出力する。
【００２３】
デジタル画像・音声処理部１２０は、ＡＦＥ１４４から出力された画像情報およびアナログ音声処理部１１５から出力された音声信号に対して各種の処理を施す。例えば、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。デジタル画像・音声処理部１２０は、マイクロホン部１１１の出力を演算処理して音響ズーム処理としての指向性合成処理を行う。
【００２４】
表示部１９０は、デジタルカメラ１００の背面に配置される。本実施の形態では、表示部１９０は、液晶ディスプレイである。表示部１９０は、デジタル画像・音声処理部１２０にて処理された画像情報に基づく画像を表示する。
【００２５】
コントローラ１３０は、表示部１９０を制御し、スルー画像の上に、モードダイヤル１８４の設定等を示す各種アイコンおよびマイクレベル（外部記憶媒体１６０に入力される音声信号レベル）を示すマイクレベル表示を表示または非表示する。使用者は、スルー画像の上に表示された各種アイコンを見ることで、デジタルカメラ１００の設定状態を確認できる。使用者は、スルー画像の上に表示されたマイクレベル表示を見ることで、外部記憶媒体１６０に記録される音声信号のレベルを確認できる。スピーカー１９５は、外部記憶媒体１６０に記録された音声信号を出力する。表示部１９０が表示する表示内容は、ビューファインダー１９１が表示することもできる。
【００２６】
また、コントローラ１３０は、ＡＬＣを制御する。即ち、コントローラ１３０は、Ａ／Ｄコンバータに入力されるアナログ音声信号の振幅がＡ／Ｄコンバータの入力許容レベルを超えないようにマイクロホンアンプの増幅度を下げる。コントローラ１３０は、使用者の操作によりアナログ音声処理部１１５を制御し、ＡＬＣを有効または無効にする。コントローラ１３０は、デジタルカメラ１００全体の動作を制御する。
【００２７】
ＲＯＭ１７０は、デジタルカメラ１００全体の動作を統括制御するためのプログラムを格納している。ＲＯＭ１７０は、デジタルカメラ１００に関する各種条件および設定を記憶する。
【００２８】
コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、ＲＯＭ１７０は、コントローラ１３０の外部に（コントローラ１３０とは別体として）存在している必要はなく、コントローラ１３０の内部に組み込まれていてもよい。
【００２９】
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。
【００３０】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを記録可能である。
【００３１】
操作部１８０は、デジタルカメラ１００の外装に配置される操作釦や操作ダイヤルなどの操作インターフェースの総称である。操作部１８０は、使用者による操作を受け付ける。例えば、図１、図２および図３に示したレリーズ釦１８１、電源スイッチ１８３、モードダイヤル１８４、中央釦１８５および十字釦１８６などがこれにあたる。操作部１８０は、使用者による操作を受け付けると、コントローラ１３０に種々の動作を指示する信号を通知する。
【００３２】
レリーズ釦１８１は、半押し状態と全押し状態の二段階に遷移する押下式釦である。レリーズ釦１８１が使用者により半押しされると、コントローラ１３０は撮影条件を決定する。続いて、レリーズ釦１８１が使用者により全押しされると、コントローラ１３０は、全押しのタイミングに撮像された画像情報を外部記憶媒体１６０などに記録する。
【００３３】
電源スイッチ１８３は、デジタルカメラ１００の各部への電力供給をＯＮ／ＯＦＦするためのスイッチである。
【００３４】
モードダイヤル１８４は、回転式のダイヤルである。モードダイヤル１８４が使用者により回転されると、コントローラ１３０は、デジタルカメラ１００の動作モードを、モードダイヤル１８４の現在の回転位置に対応する動作モードに切り替える。
【００３５】
中央釦１８５は、押下式の釦である。デジタルカメラ１００が撮影モードあるいは再生モードにあるときに、中央釦１８５が使用者により押下されると、コントローラ１３０は、  表示部１９０にメニュー画面を表示する。メニュー画面とは、使用者に様々な撮影条件および再生条件を設定させるための画面である。メニュー画面上で使用者により各種条件の設定項目の値が選択されている状態で中央釦１８５が押下されると、その設定項目がその値に決定される。決定された設定は、ＲＯＭ１７０に記憶される。
【００３６】
十字釦１８６は、上下左右方向に設けられた４つの押下式釦を備える。使用者は、十字釦１８６のいずれかの方向の釦を押下することにより、メニュー画面上に表示される各種条件の設定項目の値を選択することができる。表示部１９０は、接触およびその接触位置を検知するタッチパネルを備え、操作部１８０の代わりに、使用者による操作を受け付け、コントローラ１３０に種々の動作を指示する信号を通知する。
【００３７】
［２．動作〕
続いて、本実施の形態におけるデジタルカメラ１００の動作の概要について説明する。交換レンズ３０１が装着された状態で、使用者がデジタルカメラボディ１０２の電源スイッチ１８３を操作することによりデジタルカメラボディ１０２の電源がＯＮにされると、電力供給とともに、各種初期設定がなされる。
【００３８】
図４は、アナログ音声処理部１１５の構成を示すブロック図である。アナログ音声処理部１１５は、マイクロホンアンプ４０１と、振幅検知部４０２と、Ａ／Ｄコンバータ４０３と、を備える。
【００３９】
アナログ音声処理部１１５は、コントローラ１３０の指示に従い、マイクロホン部１１１から受け付けたアナログ音声信号を、マイクロホンアンプ４０１により所定の増幅度で増幅して、Ａ／Ｄコンバータ４０３に入力する。操作部１８０が操作を受け付け、コントローラ１３０にマイクロホンアンプ４０１の増幅度を指示する信号が通知されたら、その指示に従い、アナログ音声処理部１１５はマイクロホンアンプ４０１の増幅度を設定する。
【００４０】
マイクロホンアンプ４０１で増幅されたアナログ音声信号は、振幅検知部４０２に入力される。ＡＬＣが有効である場合、振幅検知部４０２は、マイクロホンアンプ４０１で増幅されたアナログ音声信号を受け付ける。振幅検知部４０２は、アナログ音声信号の振幅がＡ／Ｄコンバータ４０３の入力許容レベルを超えないようにマイクロホンアンプ４０１の増幅度をフィードバック制御する。ＡＬＣが無効である場合、振幅検知部４０２は、マイクロホンアンプ４０１で増幅されたアナログ音声信号を受け付ける。振幅検知部４０２は、アナログ音声信号の振幅がＡ／Ｄコンバータ４０３の入力許容レベルを超えても、マイクロホンアンプ４０１の増幅度を変えない。
【００４１】
Ａ／Ｄコンバータ４０３は、マイクロホンアンプ４０１で増幅されたアナログ音声信号を受け付け、Ａ／Ｄ変換を行う。Ａ／Ｄコンバータ４０３は、Ａ／Ｄ変換された音声信号をデジタル画像・音声処理部１２０に出力する。ＡＬＣが有効である場合、マイクロホン部１１１に大きな音が入力されても、マイクロホンアンプ４０１が出力するアナログ音声信号はＡ／Ｄコンバータ４０３の入力許容レベルを超えない。従って、Ａ／Ｄコンバータ４０３の出力波形の歪は小さい。ＡＬＣが無効である場合、マイクロホン部１１１に大きな音が入力されると、マイクロホンアンプ４０１が出力するアナログ音声信号はＡ／Ｄコンバータ４０３の入力許容レベルを超えることがある。従って、Ａ／Ｄコンバータ４０３の出力波形は大きく歪むことがある。しかし、同じ増幅度が保たれるので、Ａ／Ｄコンバータ４０３の入力許容レベル内であればマイクロホン部１１１に入力される音声信号と外部記憶媒体１６０に記録される音声信号とのリニアリティは高い。即ち、外部記憶媒体１６０は抑揚が大きな音を忠実に記録することができる。
【００４２】
ＡＬＣが有効である場合の動作について、以下に例をあげて、定量的に説明する。
【００４３】
マイクロホンアンプ４０１に予め設定された所定の増幅度が＋２０ｄＢＶであるとする。また、Ａ／Ｄコンバータ４０３の入力許容レベルを−６ｄＢＶであるとする。マイクロホン部１１１が出力するアナログ音声信号の振幅が−４０ｄＢＶであるとき、マイクロホンアンプ４０１の出力は−２０ｄＢＶとなり、Ａ／Ｄコンバータ４０３の入力許容レベルを超えない。音が大きくなり、マイクロホン部１１１が出力するアナログ音声信号の振幅が−２５ｄＢＶになったとき、マイクロホンアンプ４０１の増幅度が＋２０ｄＢＶのままだとマイクロホンアンプ４０１の出力は−５ｄＢＶとなる。すると、マイクロホンアンプ４０１の出力はＡ／Ｄコンバータ４０３の入力許容レベルを超える。そこで、ＡＬＣは、マイクロホンアンプ４０１の増幅度を＋１９ｄＢＶに変えて、マイクロホンアンプ４０１の出力を−６ｄＢＶとする。これにより、マイクロホンアンプ４０１の出力はＡ／Ｄコンバータ４０３の入力許容レベルを超えない。音が小さくなり、マイクロホン部１１１が出力するアナログ音声信号の振幅が−３０ｄＢＶになったら、マイクロホンアンプ４０１の増幅度を予め設定された所定の増幅度＋２０ｄＢＶに戻す。このとき、マイクロホンアンプ４０１の出力は−１０ｄＢＶとなりＡ／Ｄコンバータ４０３の入力許容レベルを超えない
ＡＬＣが無効である場合の動作について、以下に例をあげて、定量的に説明する。
【００４４】
マイクロホンアンプ４０１に予め設定された所定の増幅度が＋２０ｄＢＶであるとする。また、Ａ／Ｄコンバータ４０３の入力許容レベルを−６ｄＢＶであるとする。マイクロホン部１１１が出力するアナログ音声信号の振幅が−４０ｄＢＶであるとき、マイクロホンアンプ４０１の出力は−２０ｄＢＶとなり、Ａ／Ｄコンバータ４０３の入力許容レベルを超えない。音が大きくなり、マイクロホン部１１１が出力するアナログ音声信号の振幅が−２５ｄＢＶになったとき、マイクロホンアンプ４０１の増幅度は＋２０ｄＢＶのままなので、マイクロホンアンプ４０１の出力は−５ｄＢＶとなる。すると、マイクロホンアンプ４０１の出力はＡ／Ｄコンバータ４０３の入力許容レベルを超える。マイクロホンアンプ４０１の出力がＡ／Ｄコンバータ４０３の入力許容レベルを超えるとＡ／Ｄコンバータ４０３の出力が歪む。音が小さくなり、マイクロホン部１１１が出力するアナログ音声信号の振幅が−３０ｄＢＶになったら、マイクロホンアンプ４０１の増幅度は＋２０ｄＢＶのままなので、マイクロホンアンプ４０１の出力は−１０ｄＢＶとなる。すると、マイクロホンアンプ４０１の出力はＡ／Ｄコンバータ４０３の入力許容レベルを超えない。
【００４５】
ＡＬＣが無効である場合、どのような大きさの音を記録するかが予め分かっていれば、Ａ／Ｄコンバータ４０３の出力が歪むことを避けつつ、マイクロホン部１１１に入力される音声信号と外部記憶媒体１６０に記録される音声信号とのリニアリティを高く保つことができる。例えば上記の例において、マイクロホン部１１１が出力するアナログ音声信号の振幅の最大値が−２０ｄＢＶであることを、リハーサルを通じて調べておけばよい。そして、予め調べたアナログ音声信号の振幅の最大値に応じて、マイクロホンアンプ４０１に設定する増幅度を＋１４ｄＢＶとすればよい。
【００４６】
ＡＬＣを無効としたとき、外部記憶媒体１６０に記録される音声信号のレベルが表示されていないと、使用者は記録される音声信号が歪むことに気付けない。また、ＡＬＣを無効とする度に記録される音声信号のレベル表示設定を切り換えることは、使用者にとって不便である。本開示に係る記録装置では、ＡＬＣを無効とした際に、記憶媒体に記録される音声信号のレベルを自動的に表示する。以下にその詳細について説明する。
【００４７】
図５は、デジタルカメラ１００の、ＡＬＣ及びマイクレベル表示の設定テーブルを示す表である。メニュー画面上で使用者がマイクレベル表示を「表示」に設定すると、コントローラ１３０は表示部１９０が示すスルー画像の上にマイクレベル表示を表示する。メニュー画面上で使用者がマイクレベル表示を「非表示」に設定すると、コントローラ１３０は表示部１９０が示すスルー画像の上にマイクレベル表示を表示しない。メニュー画面上で使用者がＡＬＣを「有効」に設定すると、コントローラ１３０はマイクレベル表示の設定に従い表示部１９０が示すスルー画像の上にマイクレベル表示を表示または非表示する。メニュー画面上で使用者がＡＬＣを「無効」に設定すると、コントローラ１３０はマイクレベル表示の設定によらず、表示部１９０が示すスルー画像の上にマイクレベル表示を表示する。
【００４８】
図６は、デジタルカメラ１００の、マイクレベル表示の設定を示すフローチャートである。コントローラ１３０は、ステップＳ６０１で、ＡＬＣの設定が有効であるか無効であるかを確認する。ＡＬＣの設定が有効である場合、デジタルカメラ１００はステップＳ６０２に遷移する。ＡＬＣの設定が無効である場合、デジタルカメラ１００はステップＳ６０３に遷移する。ステップ６０３に遷移すると、コントローラ１３０は、表示部１９０が示すスルー画像の上にマイクレベル表示を表示する。コントローラ１３０は、ステップＳ６０２で、マイクレベル表示の設定が表示であるか非表示であるかを確認する。マイクレベルの設定が表示である場合、ステップＳ６０３に遷移して、コントローラ１３０は、表示部１９０が示すスルー画像の上にマイクレベル表示を表示する。マイクレベルの設定が非表示である場合、ステップＳ６０４に遷移して、コントローラ１３０は、表示部１９０が示すスルー画像の上にマイクレベル表示を表示しない。
【００４９】
図７は、デジタルカメラ１００の、表示部１９０及び操作部１８０を示す図である。ステップＳ６０３に遷移すると、コントローラ１３０は、表示部１９０が示すスルー画像の上にマイクレベル表示７０１を表示して、図７（ａ）に示すような状態になる。ステップＳ６０４に遷移すると、コントローラ１３０は、表示部１９０が示すスルー画像の上にマイクレベル表示７０１を表示せず、図７（ｂ）に示すような状態になる。図７（ａ）の状態において、使用者は、マイクレベル表示７０１により、マイクレベルを確認することができる。従って、使用者は必要に応じて、例えば操作部１８０の十字釦１８６を操作して、マイクロホンアンプ４０１の増幅度を適切な値に設定することが出来る。
【００５０】
〔３．作用及び効果〕 
以上のように、本実施の形態に係る記録装置は、ＡＬＣの設定が無効である場合にマイクレベル表示を強制的に表示する。仮に、ＡＬＣの設定が無効であり、且つ、マイクレベル表示が非表示である場合、使用者は、マイクレベルが大きすぎることに気付かずに、歪んだ音を記録する失敗を犯すことになる。ＡＬＣの設定が無効である場合にマイクレベル表示を強制的に表示することにより、使用者は、マイクレベル表示を見て、マイクレベルが大きすぎることを容易に気付くことが出来、必要に応じて十字釦１８６を操作して、マイクロホンアンプ４０１の増幅度を適切な値に設定し、歪んだ音を記録する失敗を回避することが出来る。
【００５１】
〔４．他の実施の形態〕
本発明は、上記実施の形態に限定されず、種々の実施形態が考えられる。以下、本発明の他の実施の形態についてまとめて記載する。上記実施の形態において、使用者がマイクロホンアンプ４０１の増幅度を設定する操作部は、十字釦１８６であるとしたが、操作部１８０が備えるダイヤル１８７でも良いし、タッチパネルを備えた表示部１９０でも良い。上記実施の形態において、収音装置を備えた撮像装置としてデジタルカメラ１００を例に挙げて説明した。しかしながら、マイクロホンが搭載され、ＡＬＣの有効／無効が設定可能であり、表示部を備え、音声記録が可能な機器であればよい。すなわち、ビデオカメラやボイスレコーダなどであってもよい。上記実施の形態において、デジタル画像・音声処理部１２０およびコントローラ１３０は、各々上記のような機能および構成を有するものとして説明したが、各々の持つ機能および構成の一部が他方に含まれるような構成としてもよい。上記実施の形態において、ＣＣＤイメージセンサ１４３を、撮像部の一例として説明したが、本発明はこれに限定されない。すなわち、ＣＭＯＳイメージセンサや、ＮＭＯＳイメージセンサなど他の撮像素子であっても本発明に適用可能である。上記実施の形態において、表示部１９０は、液晶ディスプレイであると説明したが、本発明はこれに限定されない。すなわち、有機ＥＬなど他の表示デバイスであっても本発明に適用可能である。
【００５２】
以上のように、本開示における技術の例示として、実施の形態を説明した。そのために、添付図面および詳細な説明を提供した。
【００５３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５４】
また、上述の実施の形態は、本開示における技術を例示するためのものであるから、請求の範囲またはその均等の範囲において種々の変更、置き換え、付加、省略などを行うことができる。
【産業上の利用可能性】
【００５５】
本開示は、デジタルカメラ、ムービーカメラなどの録音機能を有する機器に適用可能である。
【符号の説明】
【００５６】
１００  デジタルカメラ
１０２  デジタルカメラボディ
１１０  音声入力系
１１１  マイクロホン部
１１１Ｌ  マイクロホン
１１１Ｒ  マイクロホン
１１５  アナログ音声処理部
１２０  デジタル画像・音声処理部
１３０  コントローラ
１４０  画像入力系
１４３  ＣＣＤイメージセンサ
１５０  ＲＡＭ
１６０  外部記憶媒体
１７０  ＲＯＭ
１８０  操作部
１８１  レリーズ釦
１８３  電源スイッチ
１８４  モードダイヤル
１８５  中央釦
１８６  十字釦
１８７  ダイヤル
１９０  表示部
１９５  スピーカー
３０１  交換レンズ
３１０  フォーカスレンズ
３１１  フォーカスレンズ駆動部
３１２  ズームレンズ
３１３  ズームレンズ駆動部
３１６  絞り
３１７  絞り駆動部
３２０  レンズコントローラ
３２１  ＤＲＡＭ
３２２  フラッシュメモリ
３３０  レンズマウント
３４０  ボディマウント
【図１】
2015130547.tif 000003
【図２】
2015130547.tif 000004
【図３】
2015130547.tif 000005
【図４】
2015130547.tif 000006
【図５】
2015130547.tif 000007
【図６】
2015130547.tif 000008
【図７】
2015130547.tif 000009